(57)【要約】【課題】  デジタル放送受信装置の情報を印刷装置からの制御により印刷する。【解決手段】  デジタル放送により伝送されたデータを受信し、伝送されたデータを保存するデータ保存手段を有する受信装置とネットワーク回線により接続されている印刷装置において、印刷装置からの操作によりネットワーク回線を介し、データ保存手段内に保存されている印刷コンテンツリストを取得するリスト取得手段と、リスト取得手段により取得した印刷コンテンツリストを表示するリスト表示手段と、リスト表示手段により表示された印刷コンテンツリストの中から印刷する印刷コンテンツを選択し、印刷装置からの操作によりネットワーク回線を介し、選択された印刷コンテンツのデータをデータ保存手段より取得する印刷データ取得手段を有し、取得した印刷データを印刷することを特徴とするデジタル放送用印刷装置を提供することにより上記課題を解決する。【選択図】  図３
2007210162.tif 000002
【特許請求の範囲】
【請求項１】
デジタル放送により伝送されたデータを受信するとともに、前記伝送されたデータを保存するデータ保存手段を有する受信装置とネットワーク回線により接続されているデジタル放送用印刷装置において、
前記印刷装置からの操作により前記ネットワーク回線を介し、前記データ保存手段内に保存されている印刷コンテンツリストを取得するリスト取得手段と、
前記リスト取得手段により取得した印刷コンテンツリストを表示するリスト表示手段と、
前記リスト表示手段により表示された印刷コンテンツリストの中から印刷する印刷コンテンツを選択し、前記印刷装置からの操作により前記ネットワーク回線を介し、選択された前記印刷コンテンツのデータを前記データ保存手段より取得する印刷データ取得手段と、
を有し、前記印刷データ取得手段により取得した印刷データを印刷することを特徴とするデジタル放送用印刷装置。
【請求項２】
前記リスト取得手段において、各々の印刷コンテンツの詳細情報を取得し、
前記リスト表示手段において、前記詳細情報を表示することを特徴とする請求項１に記載のデジタル放送用印刷装置。
【請求項３】
前記印刷データ取得手段により取得した印刷データを正常に印刷した場合、前記受信装置に、前記正常に印刷した旨の情報を伝達することを特徴とする請求項１又は２に記載のデジタル放送用印刷装置。
【請求項４】
前記リスト表示手段により表示される印刷コンテンツリストは、印刷コンテンツの属性情報に応じて、選択的に表示することを特徴とする請求項１から３のいずれかに記載のデジタル放送用印刷装置。
【請求項５】
前記デジタル放送用印刷装置は、前記受信装置により認証を受けていることを特徴とする請求項１から４のいずれかに記載のデジタル放送用印刷装置。
【請求項６】
前記デジタル放送用印刷装置から前記受信装置へ送信される前記リスト取得手段による信号により、前記デジタル放送用印刷装置と前記受信装置との通信を開始することを特徴とする請求項１から５のいずれかに記載のデジタル放送用印刷装置。
【請求項７】
前記デジタル放送用印刷装置から前記受信装置へ前記リスト取得手段による信号を送信したとき、前記デジタル放送用印刷装置と前記受信装置との通信状態が正常でない場合、前記デジタル放送用印刷装置において、異常である旨の報知をおこなうことを特徴とする請求項１から６のいずれかに記載のデジタル放送用印刷装置。
【発明の詳細な説明】
【技術分野】
【０００１】
本発明は、デジタル放送用印刷装置に関するものであり、特に、デジタル放送受信装置におけるデータを印刷する印刷装置に関するものである。
【背景技術】
【０００２】
近年、ＢＳデジタル放送の開始により、番組以外のデータを送信した場合に、デジタルテレビ受像装置（以下、ＤＴＶ、又は、ＤＴＶ装置）によって、これらデータを処理することが容易になってきている。そのため、番組に関連する印刷データを番組以外のデータとして伝送し、さらにＤＴＶ装置とプリンタとを接続して、この印刷データを印刷することが可能となる。このような印刷データとしては、具体的には、料理番組におけるレシピや、旅行番組における観光地ガイドなどである。
【０００３】
そして、これらの印刷データにおいては、テレビ視聴中必要に応じて、画面上に印刷物の内容や印刷ボタンが表示され、これに伴い、用紙のサイズや枚数などの印刷の設定情報が表示される。この状態で、視聴者であるユーザが、表示を確認し印刷ボタンを押下すると、ＤＴＶ装置からプリンタに印刷データが転送されて印刷が実行される。
【０００４】
印刷はプリンタによりなされるため、印刷内容がＤＴＶ装置において判断できない場合もあるが、最終的な印刷内容が解らなくても、番組視聴中であれば視聴内容から印刷内容の判断が可能であり、誤って印刷したりする等の問題は生じない。
【０００５】
ところが、プリンタで印刷を行うためには、印刷を指示した際に、プリンタの接続、用紙及びインクカートリッジなどの設置が完了している必要がある。しかしながら、これらいずれかに不具合がある場合には、すぐに印刷を開始することができない。また、ユーザの希望により後で印刷したい場合もある。このような場合には、一旦印刷データを保存しておき、プリンタの準備が完了した後印刷することとなる。
【０００６】
しかしながら、一旦データを保存した後に印刷をおこなう場合、上述したように、ＤＴＶ装置において印刷内容を判断できない場合があり、時間が経過することにより、ユーザが番組において表示された印刷の設定情報を覚えていない場合もある。これにより印刷対象の選択等が困難になる場合がある。
【０００７】
このような場合に対処すべく以下の方法が提案されている。
【０００８】
特許文献１に記載された発明では、プリントコンテンツの存在をユーザに知らせ、コンテンツの印刷に必要な用紙などの情報をＤＴＶ装置でユーザに知らせてユーザにプリントに必要な準備を促す方法が開示されている。
【０００９】
特許文献２に記載された発明では、ＤＴＶ装置でプリンタの状態を監視し、ＤＴＶ装置の表示手段で印刷処理の進み具合や異常を確認する方法が開示されている。
【００１０】
特許文献３に記載された発明では、印刷コンテンツを画面キャプチャーデータと関連付けて保存し、保存後に保存装置から印刷操作を行う方法が開示されている。保存装置としては、ＤＴＶ装置に付属しているものであり、ＤＴＶ装置から印刷操作する方法が提案されている。
【特許文献１】特開２００２−１５８９７６号公報
【特許文献２】特開２００２−１５８９７９号公報
【特許文献３】特開２００５−２１０４０８号公報
【発明の開示】
【発明が解決しようとする課題】
【００１１】
しかしながら、特許文献１から３に記載された発明では、ＤＴＶ装置において印刷操作を行う方法や、ＤＴＶ装置にプリンタの状態を表示する方法であるため、ＤＴＶ装置とプリンタが離れた場所に設置された場合、ユーザはＤＴＶ装置とプリンタ間を行き来する必要があり、印刷等する場合に不便である。また、ＤＴＶ装置は、本来的には動画を楽しむための装置であり、動画を視聴中に印刷トラブルなどの予期せぬメッセージが表示される場合があり、このような場合、動画視聴に集中できず、折角の動画視聴といった本来の目的を達せられなくなってしまう。更には、印刷したいユーザとＤＴＶ装置で番組の視聴を楽しみたいユーザとがいる場合、両方を同時に実行することはできない等の問題点を有している。
【００１２】
本発明は、このような事情に鑑みてなされたものであり、ＤＴＶ装置が取得した情報を簡便にかつＤＴＶ装置の視聴に影響を与えることなく、印刷する可能なデジタル放送用印刷装置を提供することを目的とするものである。
【課題を解決するための手段】
【００１３】
請求項１に記載の発明は、デジタル放送により伝送されたデータを受信するとともに、前記伝送されたデータを保存するデータ保存手段を有する受信装置とネットワーク回線により接続されているデジタル放送用印刷装置において、前記印刷装置からの操作により前記ネットワーク回線を介し、前記データ保存手段内に保存されている印刷コンテンツリストを取得するリスト取得手段と、前記リスト取得手段により取得した印刷コンテンツリストを表示するリスト表示手段と、前記リスト表示手段により表示された印刷コンテンツリストの中から印刷する印刷コンテンツを選択し、前記印刷装置からの操作により前記ネットワーク回線を介し、選択された前記印刷コンテンツのデータを前記データ保存手段より取得する印刷データ取得手段を有し、前記印刷データ取得手段により取得した印刷データを印刷することを特徴とするデジタル放送用印刷装置である。
【００１４】
これにより、ＤＴＶ装置の視聴を妨げることなくデジタル放送用印刷装置側の操作だけで印刷が可能となる。
【００１５】
請求項２に記載の発明は、前記リスト取得手段において、各々の印刷コンテンツの詳細情報を取得し、前記リスト表示手段において、前記詳細情報を表示することを特徴とする請求項１に記載のデジタル放送用印刷装置である。
【００１６】
これにより、ユーザは印刷前に内容を詳細に把握できるので、誤って印刷することを防止することができる。
【００１７】
請求項３に記載の発明は、前記印刷データ取得手段により取得した印刷データを正常に印刷した場合、前記受信装置に、前記正常に印刷した旨の情報を伝達することを特徴とする請求項１又は２に記載のデジタル放送用印刷装置である。
【００１８】
これにより、次回以降に印刷を行う際、印刷状態の判断が容易となる。例えば、印刷未了か印刷済みかの判断が容易となる。また、課金を伴う印刷コンテンツの場合は、ＤＴＶ装置側での課金動作が可能となる。
【００１９】
請求項４に記載の発明は、前記リスト表示手段により表示される印刷コンテンツリストは、印刷コンテンツの属性情報に応じて、選択的に表示することを特徴とする請求項１から３のいずれかに記載のデジタル放送用印刷装置である。
【００２０】
これにより、印刷に必要な印刷コンテンツのみを抽出することができる。
【００２１】
請求項５に記載の発明は、前記デジタル放送用印刷装置は、前記受信装置により認証を受けていることを特徴とする請求項１から４のいずれかに記載のデジタル放送用印刷装置である。
【００２２】
これにより、ネットワーク回線が無線であった場合に隣接するネットワークからの情報の伝達を防止することができ、課金コンテンツ（有料コンテンツ）を印刷する場合の制限をすることができる。
【００２３】
請求項６に記載の発明は、前記デジタル放送用印刷装置から前記受信装置へ送信される前記リスト取得手段による信号により、前記デジタル放送用印刷装置と前記受信装置との通信を開始することを特徴とする請求項１から５のいずれかに記載のデジタル放送用印刷装置である。
【００２４】
これにより、デジタル放送用印刷装置を別用途で使用する場合に、無意味な警告の発生を防止することができる。
【００２５】
請求項７に記載の発明は、前記デジタル放送用印刷装置から前記受信装置へ前記リスト取得手段による信号を送信したとき、前記デジタル放送用印刷装置と前記受信装置との通信状態が正常でない場合、前記デジタル放送用印刷装置において、異常である旨の報知をおこなうことを特徴とする請求項１から６のいずれかに記載のデジタル放送用印刷装置である。
【００２６】
これにより、デジタル放送用印刷装置を別用途で使用する場合に、ＤＴＶ装置の電源入れ忘れなどの無意味な警告の発生を防止することができる。
【発明の効果】
【００２７】
本発明におけるデジタル放送用印刷装置によれば、ＤＴＶ装置が取得した情報を簡便かつＤＴＶ装置の視聴に影響を与えることなく印刷することができる効果がある。
【発明を実施するための最良の形態】
【００２８】
以下、本発明の第１の実施の形態について、添付図面に基づき説明する。
【００２９】
図１に、第１の実施の形態に係るデジタル放送用印刷装置のシステムの全体構成を示す。図１に示すようにこのシステムにおいては、ＤＴＶ装置２１は受信装置として放送局からのテレビ受信し、映像、音声および操作データなどを表示するとともに、音声出力や、後述するように、受信した情報を保存するデータ保存手段としてのデータ保存部を有している。
【００３０】
ＤＴＶ装置２１は、ネットワーク回線であるホームネットワーク１１を介し、デジタル放送用印刷装置であるマルチファンクションプリンタ３１と接続されており、ＤＴＶ装置２１とマルチファンクションプリンタ３１との通信や制御が可能な状態となっている。また、このホームネットワーク１１には、パソコン（不図示）等が接続されている場合があり、この場合には、マルチファンクションプリンタ３１とパソコン間、ＤＴＶ装置２１とパソコン間での通信や制御が可能となる。
【００３１】
図２に、第１の実施の形態におけるＤＴＶ装置２１を示す。ＤＴＶ装置２１には、ＤＴＶ装置２１の機能を達成するため幾つかの部分から構成されている。チューナー部２２は、受信したデジタル放送の高周波ＴＶ信号の中から希望の受信周波数の選択を行い、ＴＶ信号を増幅し、映像／音声信号、各種データが混合されたＴＳデータを復調する。
【００３２】
データ分離部２３は、上述したＴＳデータを映像／音声番組データ、番組情報データ、番組制御文書データ、印刷用データ及びその他データ放送用データなどに分離するための回路である。これらのうちの映像／音声番組データは、後述するＡＶ部２４に出力され、その他の番組情報データ、番組制御文書データ、印刷データ及びその他データ放送用データは、不図示のメモリ部に出力され格納される。
【００３３】
ＡＶ部２４には、映像を表示し音声を出力するために、ＡＶ部２４に入力した信号は、まず放送映像／音声データデコード部で映像信号と音声信号を分離する。
【００３４】
このうち、音声信号は、合成、調整等を行うことにより、音量、音質及び臨場感などを制御し、増幅した後、不図示のスピーカーに供給し音声として出力する。また、映像信号は、合成、拡大／縮小、その他各種変換または補正などを行うことにより、画像の大きさや明るさ等を制御した後、不図示のモニタなどの表示装置に映像信号を表示する。
【００３５】
尚、ＡＶ部に入力する信号は、データ分離部２３より入力する信号のほか、内部バス２９を介して入力する信号があり、これについてもＡＶ部２４において同様の処理がなされ、スピーカー及びモニタより出力される。
【００３６】
操作・制御部２５は、ＴＶ視聴者により操作されるとともに、ＤＴＶ装置２１の内部におけるそれぞれの部分を統括的に制御するためのものであり、ＣＰＵ、メモリ、バス制御部、プログラム格納部、パラメータ制御部、ＩＤ保存部、時計部（いずれも不図示）等から構成されている。
【００３７】
データ保存部２６は、保存を行うための書き込み可能な不揮発メモリやハードディスク装置のような補助記憶装置等から構成されている。データ保存部２６には、データ分離部２３より分離された番組情報データ、番組再生文書、印刷データ、その他データ放送データの他、ＡＶ部２４においてキャプチャーされたデータ、課金制御データ及びＴＶ視聴者の視聴履歴データなどのデータが、ＴＶ視聴者の指示、または操作・制御部の指示により必要に応じて保存される。また、データ保存部２６には、印刷コンテンツ保存部２７が設けられており、印刷コンテンツに関する情報等が別途保存されている。
【００３８】
Ｉ／Ｆ部２８は、ホームネットワーク１１を介し図１に示したマルチファンクションプリンタ３１等と接続するための回路である。このＩ／Ｆ部２８は、ＤＴＶ装置２１の操作・制御部２５によって制御され、ＤＴＶ装置２１から供給された印刷データはホームネットワーク１１を介し外部の装置に出力される。また、Ｉ／Ｆ部２８はＤＴＶ装置２１が、放送局管理サーバとの接続、インターネットなどとの接続、有料放送の課金制御などにおいて各種データの送受信などを行う際にも使用され、受信したデータは必要に応じてデータ保存部２６に保存される。
【００３９】
以上のように構成されたＤＴＶ装置２１を用いて、ＴＶ受信を行う場合、上述したチューナー部２２及びデータ分離部２３により信号処理が行われる。そして、ＴＶ視聴者の指示により操作・制御部２５からチャンネルが選択され、所定の周波数の放送電波が受信され、ＴＳデータが復調される。そして、データ分離部２３において、このＴＳデータから番組データ、番組情報データ、印刷データおよびデータ放送データ等に分離される。番組データは、ＡＶ部２４に供給された後、音声情報、画像情報としてスピーカーやモニタによりＴＶ視聴者に伝達される。また、番組情報データ、印刷データ、データ放送データ等は内部バス２９を介して必要に応じてデータ保存部２６に格納される。尚、ＤＴＶ装置内の情報伝達は、ＤＴＶ装置２１内に設けられた共通バス２９を介して行われる。
【００４０】
図３は、第１の実施の形態に係るマルチファンクションプリンタ３１の構成を示す。
【００４１】
マルチファンクションプリンタ３１は、画像の入力を行うスキャナ部３２、カードＩ／Ｆ部３３が設けられており、ホームネットワーク１１を介することなく、画像情報の入力が可能である。
【００４２】
また、プリント部３４は、ホームネットワーク１１を介して供給された印刷データや、スキャナ部３２、カードＩ／Ｆ部３３から取り込まれた印刷データの印刷をおこなう機能を有しており、インクジェット方式あるいは、電子写真方式により印刷データである画像を印刷する。
【００４３】
制御部３５は、マルチファンクションプリンタ３１の全体を制御するものであり、後述するＴＶ視聴者の指示等に基づき、プリント部３４による印刷の開始の指示や、ホームネットワークを介した印刷データの取得、即ち、ＤＴＶ装置２１内のデータ保存部２６の印刷コンテンツ保存部２７に保存されている印刷コンテンツに関する情報等の取得をする機能を有している。
【００４４】
ユーザＩ／Ｆ部３６は、ＴＶ視聴者とマルチファンクションプリンタ３１との情報交換をするためのものである。ＴＶ視聴者にマルチファンクションプリンタ３１から提供した情報を示すことができるよう表示部３７を有するとともに、ユーザＩ／Ｆ部３６には、ＴＶ視聴者からの指示をマルチファンクションプリンタ３１に伝達するための入力部３８を有しており、入力部３８による入力情報に基づき、制御部３５によりマルチファンクションプリンタ３１は制御されている。
【００４５】
Ｉ／Ｆ部３９は、ホームネットワーク１１を介し図１に示したＤＴＶ装置２１等と接続するための回路である。制御部３５等の指示情報についてホームネットワーク１１を介し、ＤＴＶ装置２１に伝達したり、ＤＴＶ装置２１内にある情報についてホームネットワーク１１を介し、マルチファンクションプリンタ３１に取り込んだりするための機能を有している。
【００４６】
尚、マルチファンクションプリンタ３１内における情報伝達は、マルチファンクションプリンタ３１内に設けられた共通バス４０を介して行われる。
【００４７】
次に、第１の実施の形態に係るデジタル放送用印刷装置のユーザＩ／Ｆ部３６のインターフェースパネルについて説明する。ＴＶ視聴者からの制御、及びマルチファンクションプリンタ３１からＴＶ視聴者に提供される情報は、マルチファンクションプリンタ３１に設けられたユーザＩ／Ｆ部３６のインターフェースパネルによりなされる。
【００４８】
図４にマルチファンクションプリンタ３１に設けられたユーザＩ／Ｆ部３６のインターフェースパネルを示す。
【００４９】
図４に示すユーザＩ／Ｆ部３６のインターフェースパネルは、表示部３７と入力部３８からなるものである。表示部３７は、液晶等の表示パネルからなる表示ディスプレイ５１からなり、マルチファンクションプリンタ３１の各種情報が表示される。また、入力部３８は、電源ボタン５２、コピーボタン５３、スキャンボタン５４、カードボタン５５、ＤＴＶボタン５６、用紙／設定ボタン５７、スタートボタン５８、選択項目を上下左右に移動させて選択可能な項目移動ボタン５９ａ、５９ｂ、５９ｃ及び５９ｄ、確認の意思表示を示すＯＫボタン６０からなっている。
【００５０】
電源ボタン５２は、マルチファンクションプリンタ３１の電源のＯＮ、ＯＦＦの制御に用いるものである。電源ボタン５２を押下することにより、電源はオン状態となり、マルチファンクションプリンタ３１は起動する。
【００５１】
コピーボタン５３は、マルチファンクションプリンタ３１内のスキャナ部３２より画像情報を取り込み、プリント部３４にて紙等の記録媒体にコピーを開始する動作に移行するボタンである。
【００５２】
スキャンボタン５４は、マルチファンクションプリンタ３１内のスキャナ部３２より画像情報を取り込みホームネットワークを介して不図示のパソコンなどに画像情報の転送を開始する動作に移行するボタンである。
【００５３】
カードボタン５５は、マルチファンクションプリンタ３１内のカードＩ／Ｆ部３３より電気的、磁気的手段により情報が記録されている各種カードより情報を読み取り、プリント部３４にて紙等の記録媒体に印刷を開始する動作に移行するボタンである。尚、ここでいうカードとは、デジタルカメラなどの画像情報記録に使用されるリムーバブルなカードであり、フラッシュメモリ等の半導体記録装置や磁気記録媒体等により情報が記録されているものである。
【００５４】
ＤＴＶボタン５６は、マルチファンクションプリンタ３１からホームネットワーク１１を介しＤＴＶ装置２１と接続を開始するボタンである。具体的内容は、後述するフローチャートに基づき後述する。
【００５５】
用紙／設定ボタン５７は、マルチファンクションプリンタ３１に用いる用紙の設定や機能設定を行うためのボタンである。用紙／設定ボタン５７を押下することにより、表示ディスプレイ５１に設定情報に関する情報が表示される。ユーザは、表示ディスプレイ５１に表示された情報に基づき、項目移動ボタン５９ａ、５９ｂ、５９ｃ及び５９ｄ、ＯＫボタン６０を操作し、所望の状態にマルチファンクションプリンタ３１の設定を行う。用紙設定ボタン５７の押下した後、項目移動ボタン５９ａ、５９ｂ、５９ｃ及び５９ｄとＯＫボタン６０とにより設定された情報は、マルチファンクションプリンタ３１の制御部３５に保存される。
【００５６】
スタートボタン５８は、マルチファンクションプリンタ３１において、所望の印刷コンテンツ等の印刷を開始するためのボタンである。具体的には、スタートボタン５８を押下することにより、スタートボタン５８を押下したという情報は、共通バス４０を介し制御部３５に伝達される。制御部３５より、印刷対象となっている画像情報が共通バス４０を介し、プリント部３４に伝達され、プリント部３４より選択されている所定の画像が、紙等の記録媒体に印刷される。
【００５７】
項目移動ボタン５９ａ、５９ｂ、５９ｃ及び５９ｄは、表示ディスプレイ５１に表示された情報について、表示された各種の項目のうち選択項目を選択するため移動するためのボタンである。項目移動ボタン５９ａ、５９ｂ、５９ｃ及び５９ｄは、表示ディスプレイ５１内の上下左右に移動可能なように、上下左右に対応して４つ設けられている。ＯＫボタン６０は、表示ディスプレイ５１に項目移動ボタン５９ａ、５９ｂ、５９ｃ及び５９ｄにより選定された情報について確認の意思表示を行うためのボタンである。表示ディスプレイ５１に表示された印刷情報、設定情報、その他各種の情報の選択は、項目移動ボタン５９ａ、５９ｂ、５９ｃ及び５９ｄとＯＫボタン６０を操作することにより確定される。
【００５８】
次に、第１の実施の形態に係るデジタル放送用印刷装置における印刷するまでの流れについて図５に基づき説明する。
【００５９】
第１の実施の形態においては、既にマルチファンクションプリンタ３１の電源がＯＮされた状態より開始する。
【００６０】
この状態の下、図５に示すようにステップ１０２（Ｓ１０２）において、マルチファンクションプリンタ３１のインターフェースパネル上のＤＴＶボタン５６の押下を行う。
【００６１】
このＤＴＶボタン５６の押下により、マルチファンクションプリンタ３１の制御部３５よりＩ／Ｆ部３９を介し、ステップ１０４（Ｓ１０４）に示すようにホームネットワーク１１上におけるＤＴＶ装置２１が接続されているか確認作業が行われる。
【００６２】
この次に、ステップ１０６（Ｓ１０６）において通信状態が異常であるか否かの判断がされる。ＤＴＶ装置２１との接続に異常がある等の通信異常がある場合には、通信異常有と判断され、ステップ１０８（Ｓ１０８）に移行し、マルチファンクションプリンタ３１の表示部３７において、異常であることの報知がなされる。具体的には、ＤＴＶ装置２１がホームネットワーク１１と接続されていない場合や、ＤＴＶ装置２１の電源がＯＦＦ状態である場合である。
【００６３】
一方、ステップ１０６（Ｓ１０６）において、ＤＴＶ装置２１との接続に異常がない場合には、通信異常なしと判断され、ステップ１１０（Ｓ１１０）に移行する。
【００６４】
ステップ１１０では、マルチファンクションプリンタ３１の認証作業が行われる。認証作業を行う目的は、有料コンテンツの利用を制限するため、使用可能なプリンタをコントロールするために、また、ホームネットワーク１１が有線ではなく無線で接続される場合、隣家のホームネットワーク回線と混線防止のため、即ち、ＴＶ視聴者のＤＴＶ装置２１と隣家のマルチファンクションプリンタとが誤って接続されるのを防止するためである。尚、認証のためのプリンタの登録は、ＤＴＶ装置２１から行うことによりなされる。具体的には、ホームネットワーク１１上でＤＴＶ装置２１とマルチファンクションプリンタ３１とが最初に接続した際、マルチファンクションプリンタ３１でテスト印刷を行い、テスト印刷の結果に不具合がないことを確認した後、マルチファンクションプリンタ３１のハード情報、例えば、ＭＡＣアドレス（Media Access Control address）をＤＴＶ装置２１に登録する。
【００６５】
次に、ステップ１１２（Ｓ１１２）において、リスト取得手段によりマルチファンクションプリンタ３１からＤＴＶ装置２１にある印刷コンテンツリストの取得を行う。具体的には、マルチファンクションプリンタ３１の制御部３５よりＤＴＶ装置２１内の印刷コンテンツ保存部２７に蓄積されている印刷コンテンツのリストを取得するための制御信号が、マルチファンクションプリンタ３１のＩ／Ｆ部３９より、ホームネットワーク１１を介し、ＤＴＶ装置２１に伝達される。ＤＴＶ装置２１に伝達された制御信号は、ＤＴＶ装置２１にあるＩ／Ｆ部２８より入力し、共通バス２９を介し、データ保存部２６内にある印刷コンテンツ保存部２７に伝達される。この後、印刷コンテンツ保存部２７に存在している指定された印刷コンテンツリスト情報を取り出し、共通バス２９を介しＩ／Ｆ部２８よりホームネットワーク１１に伝達する。
【００６６】
印刷コンテンツ保存部２７の存在している印刷コンテンツ情報のファイル構造を図６に示す。図６に示すように、この印刷コンテンツ情報は、属性情報と印刷コンテンツデータからなる。より詳細には、属性情報は、番組タイトル名、番組放送日時、用紙情報、課金情報、プリント済みの有無などの印刷コンテンツリスト情報と、印刷コンテンツの内容をユーザに連想させる詳細情報からなる。この中から所望の印刷コンテンツリスト情報のみを取り出し伝達する。ホームネットワーク１１に伝達された印刷コンテンツリスト情報は、マルチファンクションプリンタ３１のＩ／Ｆ部３９を介し、マルチファンクションプリンタ３１に取り込まれる。
【００６７】
この後、図５に示すステップ１１４（Ｓ１１４）に移行し、リスト表示手段により、取得した印刷コンテンツリストが表示ディスプレイ５１に表示される。具体的には、マルチファンクションプリンタ３１に取り込まれた印刷コンテンツリストは、共通バス４０を介し、ユーザＩ／Ｆ部３６伝達され、表示部３７であるインターフェースパネルの表示ディスプレイ５１に表示される。この時のインターフェースパネルの状態を図４に示す。図４に示すように表示ディスプレイ５１には、ＤＴＶ装置２１の印刷コンテンツ保存部２７より取り込まれた、印刷コンテンツリストの情報が表示される。ここで表示される情報としては、番組名のタイトル、放送日時、印刷をおこなう際に必要な用紙の枚数、印刷が既に行われたか否か等の情報である。
【００６８】
また、ＤＴＶ装置２１の印刷コンテンツ保存部２７より取得した印刷コンテンツの属性で、使用しているマルチファンクションプリンタ３１で印刷できないものについては、別途表示がなされる。このときのインターフェースパネルの状態を図７に示す。図７に示すように「５」については、「×」の表記がなされ、使用しているマルチファンクションプリンタ３１では印刷することができないことを示している。具体的に、印刷ができない事例としては、使用しているマルチファンクションプリンタ３１が、Ａ４専用であるのに対し、印刷コンテンツがＡ３の用紙を必要とする場合等である。
【００６９】
次に、ステップ１１６（Ｓ１１６）において、ＤＴＶ視聴者により印刷コンテンツの選択がなされる。具体的には、項目移動ボタン５９ａ及び５９ｂ、ＯＫボタン６０を操作し、表示ディスプレイ５１上に表示された印刷コンテンツの選択を行う。この選択を行った後のインターフェースパネルの状態を図８に示す。図８に示すように選択された印刷コンテンツは、項目について枠取りされている。
【００７０】
印刷コンテンツの詳細情報の確認が不要の場合は、スタートボタン５８を押下することによりステップ１２０（Ｓ１２０）へと移行する。尚、印刷コンテンツのより詳細な情報を確認したい場合には、ステップ１１６における画面上において、項目移動ボタン５９ａ及び５９ｂを操作することにより詳細情報を確認したい印刷コンテンツに移動し、項目移動ボタン５９ｄを押下することによりステップ１１８（Ｓ１１８）へと移行する。具体的には、項目移動ボタン５９ａ及び５９ｂを操作し詳細情報を確認したい印刷コンテンツに移動した後、項目移動ボタン５９ｄを押下することにより、詳細情報である関連情報の表示をする旨の信号は、共通バス４０を介し、制御部３５へと伝達される。制御部３５からは、詳細情報を確認したい印刷コンテンツに関する情報をＤＴＶ装置２１の印刷コンテンツ保存部２７より得るための制御信号が発せられる。この制御信号は、マルチファンクションプリンタ３１の制御部３５から共通バス４０を介し、Ｉ／Ｆ部３９よりホームネットワーク１１へと伝達され、ＤＴＶ装置２１のＩ／Ｆ部２８よりＤＴＶ装置２１に取り込まれる。取り込まれた制御信号は、ＤＴＶ装置２１内の共通バス２９を介し、データ保存部２６内の印刷コンテンツ保存部２７へと伝達される。この後、印刷コンテンツ保存部２７に保存されている印刷コンテンツの関連情報（属性情報）のうち選択された情報が抽出され、ＤＴＶ装置２１内の共通バス２９を介しＩ／Ｆ部２８に伝達され、ホームネットワーク１１に伝達される。ホームネットワーク１１に伝達された選択された印刷コンテンツの関連情報（属性情報）は、Ｉ／Ｆ部３９を介してマルチファンクションプリンタ３１に取り込まれ、共通バス４０を介しユーザＩ／Ｆ部３６の表示部３７に伝達された後、表示ディスプレイ５１の画面上に表示される。この時のインターフェースパネルの状態を図９に示す。
【００７１】
図９に示されるように、表示ディスプレイ５１には、詳細情報を確認したい印刷コンテンツの関連情報が表示される。表示ディスプレイ５１の左側には、印刷コンテンツの具体的な状態を示す画像情報が表示され、右側には、詳細情報を確認したい印刷コンテンツの関連情報として文字情報が表示される。このように詳細情報には、プレビューのイメージデータが含まれることがある。これらの情報は、図６の詳細情報として印刷コンテンツ保存部２７に保存されていたものである。
【００７２】
図９における表示ディスプレイ５１に示すように、印刷コンテンツの詳細な情報が表示されるため、印刷コンテンツの内容が確認でき、誤って印刷すること等を防止することができる。
【００７３】
この後、ＤＴＶ視聴者（ユーザ）が、希望する印刷コンテンツの情報に間違いがないと確認し、インターフェースパネル上にあるＯＫボタン６０を押下することにより、この印刷コンテンツが選択され、ステップ１１６（Ｓ１１６）に戻る。
【００７４】
ステップ１２０では、図８の表示ディスプレイで選択されている印刷コンテンツの印刷データを取得する。複数の印刷コンテンツが選択されている場合には、例えば、印刷コンテンツリストの最も上位にある印刷コンテンツの印刷データを取得する。具体的には、表示ディスプレイ５１の表示が図８に示す状態において、スタートボタン５８を押下することにより、スタートボタン５８を押下したとの情報は、共通バス４０を介し、制御部３５へと伝達される。制御部３５からは、選択された印刷コンテンツの印刷データをＤＴＶ装置２１の印刷コンテンツ保存部２７より得るための制御信号が発せられる。この制御信号は、マルチファンクションプリンタ３１の制御部３５から共通バス４０を介し、Ｉ／Ｆ部３９よりホームネットワーク１１へと伝達され、ＤＴＶ装置２１のＩ／Ｆ部２８よりＤＴＶ装置２１に取り込まれる。取り込まれた制御信号は、ＤＴＶ装置２１内の共通バス２９を介し、データ保存部２６内の印刷コンテンツ保存部２７へと伝達される。この後、印刷コンテンツ保存部２７に保存されている選択された印刷コンテンツの印刷データが選出され、ＤＴＶ装置２１内の共通バス２９を介しＩ／Ｆ部２８に伝達された後、ホームネットワーク１１に伝達される。ホームネットワーク１１に伝達された選択された印刷データは、Ｉ／Ｆ部３９を介してマルチファンクションプリンタ３１に取り込まれる。これら一連の作業はマルチファンクションプリンタ３１の制御部３５の制御信号に基づき行われる。尚、本実施の形態においては、ステップ１２０が印刷データ取得手段に相当する。
【００７５】
この後、ステップ１２２（Ｓ１２２）に移行し印刷を開始する。具体的には、マルチファンクションプリンタ３１に取り込まれた印刷データは、マルチファンクションプリンタ３１内部の共通バス３９を介し、プリント部３４に伝達される。伝達された印刷データは、プリント部３４において、紙等の記録媒体に印刷される。
【００７６】
この後、ステップ１２４（Ｓ１２４）において、印刷が正常に終了したか否かの判断がなされる。即ち、ステップ１２２における印刷が正常に終了した場合には、印刷終了した旨の信号が、プリント部３４から発信され、共通バス４０を介し制御部３５に伝達される。一方、プリント部３４の不具合によりステップ１２２における印刷が正常にできなかった場合には、印刷が正常に終了しなかった旨の信号が、プリント部３４から発信され、共通バス４０を介し制御部３５に伝達される。ステップ１２４においては、この情報に基づき判断がなされる。
【００７７】
具体的には、制御部３５に伝達された信号が、印刷が正常に終了しなかった旨の信号である場合には、ステップ１２４では、制御部３５で、印刷が正常に終了しなかった旨の判断がなされ、ステップ１２６（Ｓ１２６）に移行し、マルチファンクションプリンタ３１のユーザＩ／Ｆ部３６内の表示部３７である表示ディスプレイ５１に、印刷異常の表示がなされる。
【００７８】
一方、制御部３５に伝達された信号が、印刷が正常に終了した旨の信号である場合には、ステップ１２４では、制御部３５で、印刷が正常に終了した旨の判断がなされ、ステップ１２８（Ｓ１２８）に移行する。
【００７９】
ステップ１２８では、ステップ１２２で印刷を行った印刷コンテンツについて印刷済みの情報を消去するとともに、ＤＴＶ装置２１に印刷が終了した旨の情報を伝達する。具体的には、制御部３５よりステップ１２２において印刷が終了したコンテンツについて印刷終了した旨の情報が共通バス４０を介し、ユーザＩ／Ｆ部３６に伝達し、表示部３７である表示ディスプレイ５１に表示される印刷コンテンツリストを表示する際、印刷状況を示す表示が未から済となるように、不図示のマルチファンクションプリンタ３１内のメモリ部の情報を変更する。また、この情報は、制御部３５から共通バス４０を介し、マルチファンクションプリンタ３１のＩ／Ｆ部に伝達される。この後、ホームネットワーク１１を介し、ＤＴＶ装置２１のＩ／Ｆ部２８に伝達され、共通バス２９を介し、データ保存部２６内に存在している印刷コンテンツ保存部２７に伝達される。この情報に基づきステップ１２２で印刷が終了したコンテンツについて、印刷未の状態から済の状態へと記録されている情報の書換えが行われる。
【００８０】
この後、ステップ１３０（Ｓ１３０）へと移行する。ステップ１３０では、ステップ１１６で印刷することを指定した印刷コンテンツについて、全て印刷が完了しているか否かの判断がなされる。ステップ１３０において、ステップ１１６で印刷することを指定した印刷コンテンツの全ての印刷が完了していると判断された場合には、印刷動作は終了する。一方、ステップ１１６で印刷することを指定した印刷コンテンツの印刷が完了していない場合には、ステップ１２０（Ｓ１２０）へ移行し、次に印刷コンテンツリストの上位にある選択された印刷コンテンツの印刷データをＤＴＶ装置２１から取得する。
【００８１】
次に、マルチファンクションプリンタ３１の印刷環境設定に関し図１０に基づき説明する。
【００８２】
図１０は、図４の状態から用紙／設定ボタン５７を押下した後のマルチファンクションプリンタ３１の表示部３７であるインターフェースパネルの状態を示す。用紙／設定ボタン５７を押下することにより、表示ディスプレイ５１の画面は、マルチファンクションプリンタ３１の印刷環境設定状態を表示する。具体的に表示される項目としては、印刷コンテンツリストに表示される印刷コンテンツに関するものであり、印刷コンテンツの選定項目、印刷コンテンツの並びの順番等々に関し選択可能な状態で表示ディスプレイ５１に表示される。表示された項目については、項目移動ボタン５９ａ、５９ｂ、５９ｃ及び５９ｄとＯＫボタン６０を操作することにより設定を変更することが可能である。
【００８３】
次に、本発明に係る第２の実施の形態について説明する。第２の実施の形態では、第１の実施の形態と同様の構成のＤＴＶ装置２１、マルチファンクションプリンタ３１を用いているが、制御が異なるものである。
【００８４】
第２の実施の形態について、デジタル放送用印刷装置における印刷の流れについて図１１、図１２に基づき説明する。
【００８５】
第２の実施の形態においては、マルチファンクションプリンタ３１の電源がＯＦＦの状態より開始する。図１１はマルチファンクションプリンタ３１の電源をＯＮ状態にした際のフローチャートである。
【００８６】
この状態の下、図１１に示すようにステップ２０２（Ｓ２０２）において、マルチファンクションプリンタ３１の電源をＯＮ状態にする。具体的には、マルチファンクションプリンタのインターフェースパネルにある電源ボタン５２を押下することにより、電源ボタン５２を押下した旨の信号が、制御部３５に伝達され、マルチファンクションプリンタ３１が起動する。
【００８７】
この電源ボタン５２の押下により、マルチファンクションプリンタ３１の制御部３５よりＩ／Ｆ部３９を介し、ステップ２０４（Ｓ２０４）に示すようにホームネットワーク１１上におけるＤＴＶ装置２１が接続されているか確認作業が行われる。
【００８８】
この次に、ステップ２０６（Ｓ２０６）において通信状態が異常であるか否かの判断がされる。ＤＴＶ装置２１との接続に異常がある等の通信異常がある場合には、通信異常有と判断され、ステップ２０８（Ｓ２０８）に移行し、マルチファンクションプリンタ３１の不図示のメモリ部における通信異常フラッグをオン状態とする。具体的には、ＤＴＶ装置２１がホームネットワーク１１と接続されていない場合や、ＤＴＶ装置２１の電源がＯＦＦ状態である場合である場合に、通信異常フラッグがオン状態となる。
【００８９】
一方、ステップ２０６（Ｓ２０６）において、ＤＴＶ装置２１との接続に異常がない場合には、通信異常なしと判断され、ステップ２１０（Ｓ２１０）に移行する。
【００９０】
ステップ２１０では、マルチファンクションプリンタ３１の認証作業が行われる。認証作業を行う目的は、有料コンテンツの利用を制限するため、使用可能なプリンタをコントロールするために、また、ホームネットワーク１１が有線ではなく無線で接続される場合、隣家のホームネットワーク回線と混線防止のため、即ち、ＴＶ視聴者のＤＴＶ装置２１と隣家のマルチファンクションプリンタとが誤って接続されるのを防止するためである。尚、認証のためのプリンタの登録は、ＤＴＶ装置２１から行うことによりなされる。具体的には、ホームネットワーク１１上でＤＴＶ装置２１とマルチファンクションプリンタ３１とが最初に接続した際、マルチファンクションプリンタ３１でテスト印刷を行い、テスト印刷の結果に不具合がないことを確認した後、マルチファンクションプリンタ３１のハード情報、例えば、ＭＡＣアドレス（Media Access Control address）をＤＴＶ装置２１に登録する。
【００９１】
次に、ステップ２１２（Ｓ２１２）において、リスト取得手段によりマルチファンクションプリンタ３１からＤＴＶ装置２１にある印刷コンテンツリストの取得を行う。具体的には、マルチファンクションプリンタ３１の制御部３５よりＤＴＶ装置２１内の印刷コンテンツ保存部２７に蓄積されている印刷コンテンツのリストを取得するための制御信号が、マルチファンクションプリンタ３１のＩ／Ｆ部３９より、ホームネットワーク１１を介し、ＤＴＶ装置２１に伝達される。ＤＴＶ装置２１に伝達された制御信号は、ＤＴＶ装置２１にあるＩ／Ｆ部２８より入力し、共通バス２９を介し、データ保存部２６内にある印刷コンテンツ保存部２７に伝達される。この後、印刷コンテンツ保存部２７に存在している指定された印刷コンテンツリスト情報を取り出し、共通バス２９を介しＩ／Ｆ部２８よりホームネットワーク１１に伝達する。
【００９２】
この後、ステップ２１４（Ｓ２１４）に移行する。ステップ２１４では全印刷コンテンツの関連情報（属性情報）を取得し印刷コンテンツリスト情報を表示する。具体的には、ステップ２１２が終了した後、制御部３５からは、全印刷コンテンツに関する情報をＤＴＶ装置２１の印刷コンテンツ保存部２７より得るための制御信号が発せられる。この制御信号は、マルチファンクションプリンタ３１の制御部３５から共通バス４０を介し、Ｉ／Ｆ部３９よりホームネットワーク１１へと伝達され、ＤＴＶ装置２１のＩ／Ｆ部２８よりＤＴＶ装置２１に取り込まれる。取り込まれた制御信号は、ＤＴＶ装置２１内の共通バス２９を介し、データ保存部２６内の印刷コンテンツ保存部２７へと伝達される。この後、印刷コンテンツ保存部２７に保存されている全印刷コンテンツに関連する情報が、ＤＴＶ装置２１内の共通バス２９を介しＩ／Ｆ部２８に伝達され、ホームネットワーク１１に伝達される。ホームネットワーク１１に伝達された全印刷コンテンツの関連情報は、Ｉ／Ｆ部３９を介してマルチファンクションプリンタ３１に取り込まれ、マルチファンクションプリンタ３１内にある不図示のメモリ部に格納される。
【００９３】
以上の動作が、マルチファンクションプリンタ３１の電源ボタン５２を押下することにより行われる。
【００９４】
次に、この状態の下で、マルチファンクションプリンタ３１のＤＴＶボタン５６を押下した後印刷までの流れについて、図１２に基づき説明する。
【００９５】
ステップ２２２（Ｓ２２２）において、マルチファンクションプリンタ３１のインターフェースパネル上のＤＴＶボタン５６の押下を行う。
【００９６】
このＤＴＶボタン５６の押下により、マルチファンクションプリンタ３１の制御部３５より、ステップ２２４（Ｓ２２４）に示すように、マルチファンクションプリンタ３１内のメモリ部において通信異常フラッグがオン状態であるか否かの判断がされる。通信異常フラッグがオン状態と判断された場合には、ステップ２２６（Ｓ２２６）に移行し、マルチファンクションプリンタ３１の表示部３７において、異常であることの報知がなされる。
【００９７】
一方、ステップ２２４（Ｓ２２４）において、通信異常フラッグがオン状態でないと判断された場合には、通信異常なしと判断され、ステップ２２８（Ｓ２２８）に移行する。
【００９８】
ステップ２２８では、ステップ２１２において、リスト表示手段により取得した印刷コンテンツリストが表示ディスプレイ５１に表示される。具体的には、マルチファンクションプリンタ３１に取り込まれた印刷コンテンツリストは、共通バス４０を介し、ユーザＩ／Ｆ部３６伝達され、表示部３７であるインターフェースパネルの表示ディスプレイ５１に表示される。この時のインターフェースパネルの状態を図４に示す。図４に示すように表示ディスプレイ５１には、ＤＴＶ装置２１の印刷コンテンツ保存部２７より取り込まれた、印刷コンテンツリストの情報が表示される。ここで表示される情報としては、番組名のタイトル、放送日時、印刷をおこなう際に必要な用紙の枚数、印刷が既に行われたか否か等の情報である。
【００９９】
また、ＤＴＶ装置２１の印刷コンテンツ保存部２７より取得した印刷コンテンツの属性で、使用しているマルチファンクションプリンタ３１で印刷できないものについては、別途表示がなされる。このときのインターフェースパネルの状態を図７に示す。図７に示すように「５」については、「×」の表記がなされ、使用しているマルチファンクションプリンタ３１では印刷することができないことを示している。具体的に、印刷ができない事例としては、使用しているマルチファンクションプリンタ３１が、Ａ４専用であるのに対し、印刷コンテンツがＡ３の用紙を必要とする場合等である。
【０１００】
次に、ステップ２３０（Ｓ２３０）において、ＤＴＶ視聴者により印刷コンテンツの選択がなされる。具体的には、項目移動ボタン５９ａ及び５９ｂ、ＯＫボタン６０を操作し、表示ディスプレイ５１上に表示された印刷コンテンツの選択を行う。この選択を行った後のインターフェースパネルの状態を図８に示す。図８に示すように選択された印刷コンテンツは、項目について枠取りされている。
【０１０１】
印刷コンテンツの詳細情報の確認が不要の場合は、スタートボタン５８を押下することによりステップ２３４（Ｓ２３４）へと移行する。
【０１０２】
尚、印刷コンテンツのより詳細な情報を確認したい場合には、ステップ２３０における画面上において、項目移動ボタン５９ａ及び５９ｂを操作することにより詳細情報を確認したい印刷コンテンツに移動し、項目移動ボタン５９ｄを押下することによりステップ２３２（Ｓ２３２）へと移行する。具体的には、項目移動ボタン５９ａ及び５９ｂを操作し詳細情報を確認したい印刷コンテンツに移動した後、項目移動ボタン５９ｄを押下することにより、詳細情報を確認したい印刷コンテンツの詳細情報を表示ディスプレイ５１の画面上に表示する。この時のインターフェースパネルの状態を図９に示す。
【０１０３】
図９に示されるように、表示ディスプレイ５１には、詳細情報を確認したい印刷コンテンツの関連情報が表示される。表示ディスプレイ５１の左側には、印刷コンテンツの具体的な状態を示す画像情報が表示され、右側には、詳細情報を確認したい印刷コンテンツの関連情報として文字情報が表示される。
【０１０４】
図９における表示ディスプレイ５１に示すように、印刷コンテンツの詳細な情報が表示されるため、印刷コンテンツの内容が確認でき、誤って印刷すること等を防止することができる。
【０１０５】
この後、ＤＴＶ視聴者（ユーザ）が、希望する印刷コンテンツの情報に間違いがないと確認し、インターフェースパネル上にあるＯＫボタン６０を押印することにより、この印刷コンテンツが選択され、ステップ２３０（Ｓ２３０）に戻る。
【０１０６】
ステップ２３４では、図８の表示ディスプレイで選択されている印刷コンテンツの印刷データを取得する。複数の印刷コンテンツが選択されている場合には、例えば、印刷コンテンツリストの最も上位にある印刷コンテンツの印刷データを取得する。具体的には、表示ディスプレイ５１の表示が図８に示す状態において、スタートボタン５８を押下することにより、スタートボタン５８を押下したとの情報は、共通バス４０を介し、制御部３５へと伝達される。制御部３５からは、選択された印刷コンテンツの印刷データをＤＴＶ装置２１の印刷コンテンツ保存部２７より得るための制御信号が発せられる。この制御信号は、マルチファンクションプリンタ３１の制御部３５から共通バス４０を介し、Ｉ／Ｆ部３９よりホームネットワーク１１へと伝達され、ＤＴＶ装置２１のＩ／Ｆ部２８よりＤＴＶ装置２１に取り込まれる。取り込まれた制御信号は、ＤＴＶ装置２１内の共通バス２９を介し、データ保存部２６内の印刷コンテンツ保存部２７へと伝達される。この後、印刷コンテンツ保存部２７に保存されている選択された印刷コンテンツの印刷データが選出され、ＤＴＶ装置２１内の共通バス２９を介しＩ／Ｆ部２８に伝達された後、ホームネットワーク１１に伝達される。ホームネットワーク１１に伝達された選択された印刷データは、Ｉ／Ｆ部３９を介してマルチファンクションプリンタ３１に取り込まれる。これら一連の作業はマルチファンクションプリンタ３１の制御部３５の制御信号に基づき行われる。本実施の形態においては、ステップ２３４が印刷データ取得手段に相当する。
【０１０７】
この後、ステップ２３６（Ｓ２３６）に移行し印刷を開始する。具体的には、マルチファンクションプリンタ３１に取り込まれた印刷データは、マルチファンクションプリンタ３１内部の共通バス３９を介し、プリント部３４に伝達される。伝達された印刷データは、プリント部３４において、紙等の記録媒体に印刷される。
【０１０８】
この後、ステップ２３８（Ｓ２３８）において、印刷が正常に終了したか否かの判断がなされる。即ち、ステップ２３６における印刷が正常に終了した場合には、印刷終了した旨の信号が、プリント部３４から発信され、共通バス４０を介し制御部３５に伝達される。一方、プリント部３４の不具合によりステップ２３６における印刷が正常にできなかった場合には、印刷が正常に終了しなかった旨の信号が、プリント部３４から発信され、共通バス４０を介し制御部３５に伝達される。ステップ２３８においては、この情報に基づき判断がなされる。
【０１０９】
具体的には、制御部３５に伝達された信号が、印刷が正常に終了しなかった旨の信号である場合には、ステップ２３８では、制御部３５で、印刷が正常に終了しなかった旨の判断がなされ、ステップ２４０（Ｓ２４０）に移行し、マルチファンクションプリンタ３１のユーザＩ／Ｆ部３６内の表示部３７である表示ディスプレイ５１に、印刷異常の表示がなされる。
【０１１０】
一方、制御部３５伝達された信号が、印刷が正常に終了した旨の信号である場合には、ステップ１２４では、制御部３５で、印刷が正常に終了した旨の判断がなされ、ステップ２４２（Ｓ２４２）に移行する。
【０１１１】
ステップ２４２では、ステップ２３６で印刷を行った印刷コンテンツについて印刷済みの情報を消去するとともに、ＤＴＶ装置２１に印刷が終了した旨の情報を伝達する。具体的には、制御部３５よりステップ２３６において印刷が終了したコンテンツについて印刷終了した旨の情報が共通バス４０を介し、ユーザＩ／Ｆ部３６に伝達し、表示部３７である表示ディスプレイ５１に表示される印刷コンテンツリストを表示する際、印刷状況を示す表示が未から済となるように、マルチファンクションプリンタ３１内の不図示のメモリ部の情報を変更する。また、この情報は、制御部３５から共通バス４０を介し、マルチファンクションプリンタ３１のＩ／Ｆ部に伝達される。この後、ホームネットワーク１１を介し、ＤＴＶ装置２１のＩ／Ｆ部２８に伝達され、共通バス２９を介し、データ保存部２６内に存在している印刷コンテンツ保存部２７に伝達される。この情報に基づきステップ２３６で印刷が終了したコンテンツについて、印刷未の状態から済の状態へと記録されている情報の書換えが行われる。
【０１１２】
この後、ステップ２４４（Ｓ２４４）へと移行する。ステップ２４４では、ステップ２３０で印刷することを指定した印刷コンテンツについて、全て印刷が完了しているか否かの判断がなされる。ステップ２４４において、ステップ２３０で印刷することを指定した印刷コンテンツの全ての印刷が完了していると判断された場合には、印刷動作は終了する。一方、ステップ２３０で印刷することを指定した印刷コンテンツの印刷が完了していない場合には、ステップ２３４（Ｓ２３４）へ移行し、次に印刷コンテンツリストの上位にある選択された印刷コンテンツの印刷データをＤＴＶ装置２１から取得する。関連情報がマルチファンクションプリンタ３１の表示部３７である表示ディスプレイ５１に図９に示す場合と同様のパターンにより表示される。
【０１１３】
以上、本発明に係るデジタル放送用印刷装置について説明したが、本発明は、以上の例には限定されず、本発明の要旨を逸脱しない範囲において、各種の改良や変形を行うことは可能である。
【図面の簡単な説明】
【０１１４】
【図１】本発明に係るデジタル放送用印刷装置とＤＴＶ装置との構成を示すブロック図
【図２】本発明に係るデジタル放送用印刷装置と接続されるＤＴＶ装置の内部構成を示すブロック図
【図３】本発明に係るデジタル放送用印刷装置の内部構成を示すブロック図
【図４】本発明の第１の実施の形態に係るデジタル放送用印刷装置の印刷コンテンツリストを取得した後のインターフェースパネルの概略図
【図５】ＤＴＶ装置の印刷コンテンツ保存部に保存されている印刷コンテンツ情報の構成を示す説明図
【図６】本発明の第１の実施の形態に係るデジタル放送用印刷装置の印刷動作のフローチャート
【図７】本発明の第１の実施の形態に係るデジタル放送用印刷装置の印刷コンテンツリストを取得した後の別の一例のインターフェースパネルの概略図
【図８】本発明の第１の実施の形態に係るデジタル放送用印刷装置の印刷コンテンツリストを選択した後のインターフェースパネルの概略図
【図９】本発明の第１の実施の形態に係るデジタル放送用印刷装置の印刷コンテンツを取得した後のインターフェースパネルの概略図
【図１０】本発明の第１の実施の形態に係るデジタル放送用印刷装置の用紙／設定時におけるインターフェースパネルの概略図
【図１１】本発明の第２の実施の形態に係るデジタル放送用印刷装置の印刷動作の前段を説明するためのフローチャート
【図１２】本発明の第２の実施の形態に係るデジタル放送用印刷装置の印刷動作の後段を説明するためのフローチャート
【符号の説明】
【０１１５】
３１…マルチファンクションプリンタ、３２…スキャナ部、３３…カードＩ／Ｆ部、３４…プリント部、３５…制御部、３６…ユーザＩ／Ｆ部、３７…表示部、３８…入力部、３９…Ｉ／Ｆ部、４０…共通バス
【図１】
2007210162.tif 000003
【図２】
2007210162.tif 000004
【図３】
2007210162.tif 000005
【図４】
2007210162.tif 000006
【図５】
2007210162.tif 000007
【図６】
2007210162.tif 000008
【図７】
2007210162.tif 000009
【図８】
2007210162.tif 000010
【図９】
2007210162.tif 000011
【図１０】
2007210162.tif 000012
【図１１】
2007210162.tif 000013
【図１２】
2007210162.tif 000014